(57)【要約】【課題】ユニット式建物において、情報盤を下階建物ユニットや上階建物ユニットに設けておき、建物の建築後将来的に、必要に応じ、情報系ケーブルの配線に対応できる配管構造及び方法を提供する。【解決手段】下階建物ユニット１を設置してから、その下階建物ユニット１に情報系ケーブル配線用の配管１４を敷設するとともに、上階建物ユニット２に敷設される情報系ケーブル配線用の配管２４を、上階建物ユニット２の情報パイプスペース２１の直下位置にまとめておく。そして、下階建物ユニット１の上に上階建物ユニット２を設置してから、上階建物ユニット２に敷設される前記情報系ケーブル配線用の配管２４を情報パイプスペース２１に通して、その配管２４を上階建物ユニット２に敷設する。【選択図】図１
2015036492.tif 000002
【特許請求の範囲】
【請求項１】
略直方体フレーム状に形成された複数の建物ユニットを組み合わせて上下に設置するユニット式建物において、
下階建物ユニットに情報系ケーブル配線用の配管を敷設する一方、
上階建物ユニットに情報系ケーブル配線用の配管を通すための情報パイプスペースを設け、
下階建物ユニットにおける上階建物ユニットの前記情報パイプスペースの直下位置に、上階建物ユニットに敷設する前記情報系ケーブル配線用の配管をまとめて備えることを特徴とするユニット式建物の配管構造。
【請求項２】
請求項１に記載のユニット式建物の配管構造において、
下階建物ユニット及び上階建物ユニットの天井部に前記情報系ケーブル配線用の配管を通す誘導管を備えることを特徴とするユニット式建物の配管構造。
【請求項３】
請求項１または２に記載のユニット式建物の配管構造において、
下階建物ユニットにおける上階建物ユニットの前記情報パイプスペースの直下に位置する天井ボードに点検口を備えることを特徴とするユニット式建物の配管構造。
【請求項４】
略直方体フレーム状に形成された複数の建物ユニットを組み合わせて上下に設置するユニット式建物において、
下階建物ユニットを設置してから、その下階建物ユニットに情報系ケーブル配線用の配管を敷設するとともに、上階建物ユニットに敷設される情報系ケーブル配線用の配管を、上階建物ユニットの情報パイプスペースの直下位置にまとめておき、
下階建物ユニットの上に上階建物ユニットを設置してから、上階建物ユニットに敷設される前記情報系ケーブル配線用の配管を前記情報パイプスペースに通して、その配管を上階建物ユニットに敷設することを特徴とするユニット式建物の配管方法。
【請求項５】
請求項４に記載のユニット式建物の配管方法において、
下階建物ユニット及び／又は上階建物ユニットの天井部を形成する天井ボードに加工される前記情報系ケーブル配線用の配管を通すための穴の位置を、設計段階で図面上にアイコン入力することを特徴とするユニット式建物の配管方法。
【請求項６】
請求項５に記載のユニット式建物の配管方法において、
前記天井ボードの前記穴に前記前記情報系ケーブル配線用の配管を通す誘導管を設置し、
この誘導管に前記情報系ケーブル配線用の配管を通すことを特徴とするユニット式建物の配管方法。
【請求項７】
請求項４に記載のユニット式建物の配管方法において、
下階建物ユニットにおける上階建物ユニットの前記情報パイプスペースの直下に位置する前記天井ボードに備えた前記点検口で、下階建物ユニットに敷設した前記情報系ケーブル配線用の配管と前記上階建物ユニットに敷設される前記情報系ケーブル配線用の配管とをソケットを介して接続することを特徴とするユニット式建物の配管方法。
【発明の詳細な説明】
【技術分野】
【０００１】
本発明は、ユニット式建物における情報系ケーブル用の配管構造と、その配管方法に関する。
【背景技術】
【０００２】
近年、スマートグリッド技術等、電力の有効利用に対する関心の高まりから、家庭用設備機器や電気自動車等を電気的に接続してネットワーク化し、それらの最適制御を行うスマートハウスに関する技術が注目されている。
【０００３】
例えば特許文献１に記載の技術では、建物内に空調設備を設置する場合において、空調設備や空調コントローラ、パソコン等から延びる電源線や通信線等のケーブルを、ＥＰＳ（Electric Pipe Shaft）内に設置される分電盤やルーターに接続することで、これらをネットワーク化している。
【０００４】
また、例えば特許文献２には、第１の上階建物ユニットに設けた第１の水回り設備と第２の上階建物ユニットに設けた水回り設備とを配管によりつなぐユニット式建物において、第１の上階建物ユニットが搭載される予定の第１の下階建物ユニットの天井裏に、第１の水回り設備と第２の水回り設備をつなぐ予定の配管が取付けられる配管構造及び方法が提案される。
【先行技術文献】
【特許文献】
【０００５】
【特許文献１】特開２０１１−１３７５９５号公報
【特許文献２】特開２００８−２７４６５５号公報
【発明の概要】
【発明が解決しようとする課題】
【０００６】
しかしながら、特許文献１の技術によれば、一つのＥＰＳに通信線と電源線が集約されているため、ＥＰＳの大きさ等の設備上、通信線及び電源線を増設可能な数には限界がある。
一方、近年のスマートハウス技術によれば、建物内に多数の設備機器が設置され、これらをネットワーク化するために、従来よりも多くの情報コンセントを必要とする場合がある。
また、特許文献１の技術では、通信線及び電源線の設置数に限界があるため、情報コンセントを増設することができず、情報コンセントが不足する場合がある。
【０００７】
このため、従来よりも多くのケーブルを情報盤及び分電盤に接続可能とし、建物内に多数の設備機器が設置された場合にもそれらを容易にネットワーク化することができるホームエネルギーマネジメントシステムが提案される。
そのようなホームエネルギーマネジメントシステムとしては、例えば建物内において異なるスペースに情報盤と分電盤を設け、建物内の各部屋に情報系ケーブルにより情報盤に接続される情報コンセントを設け、その情報コンセントに家庭内負荷と情報の受け渡しを無線で行う無線送受信部を取り付け、コントローラにより、情報盤を介して無線送受信部と情報の受け渡しを行って、電力供給手段による電力供給量と家庭内負荷による電力消費量とを管理及び制御する。
また、電力供給量の制御のみならず、建物内の環境調節を目的として設備機器の運転の強弱やオン／オフを制御するホームエネルギーマネジメントシステムもある。この場合には、その設備機器に適した制御信号を送るため、情報系ケーブルが当該設備機器に接続されている。
【０００８】
そして、１階建物ユニットの上に２階建物ユニットを設置するユニット式建物において、前述したようなホームエネルギーマネジメントシステムを対応させる場合、建物の建築後将来的に、どのような設備機器が設置されるかは、その時の顧客のニーズに左右されるので施工段階では分からない。さらに、技術の進歩により通信制御対応可能となり、新たに設置できるようになる設備機器が増えることも考えられる。これらに伴い、新たに設置された設備機器を制御するために、どのような情報系ケーブルが必要になるかも施工段階では十分に予測することが難しい。
そのため、情報盤を１階建物ユニットや２階建物ユニットに設けておき、建物の建築後将来的に、必要に応じ、新たに設置された設備機器の制御に使用できる情報系ケーブルを情報盤から情報コンセントまで配線できるように、内部を空洞とする空洞管を施工段階で予め情報盤から情報コンセント付近にまで配管するいわゆる先行配管をしておくことが望ましい。
【０００９】
そこで、本発明は、ユニット式建物において、情報盤を下階建物ユニットや上階建物ユニットに設けておき、建物の建築後将来的に、必要に応じ、情報系ケーブルの配線に対応できる配管構造及び方法を提供することを目的とする。
【課題を解決するための手段】
【００１０】
以上の課題を解決するため、請求項１に記載の発明は、例えば図１、図４から図６に示すように、
略直方体フレーム状に形成された複数の建物ユニットを組み合わせて上下に設置するユニット式建物において、
下階建物ユニット１に情報系ケーブル配線用の配管１４を敷設する一方、
上階建物ユニット２に情報系ケーブル配線用の配管２４を通すための情報パイプスペース２１を設け、
下階建物ユニット１における上階建物ユニット２の前記情報パイプスペース２１の直下位置に、上階建物ユニット２に敷設する前記情報系ケーブル配線用の配管２４をまとめて備える配管構造を特徴とする。
【００１１】
請求項１に記載の発明によれば、下階建物ユニット１に情報系ケーブル配線用の配管１４を敷設する一方、上階建物ユニット２に情報系ケーブル配線用の配管２４を通すための情報パイプスペース２１を設け、下階建物ユニット１の上階情報パイプスペース２１の直下位置に、上階建物ユニット２に敷設する前記情報系ケーブル配線用の配管２４をまとめて備えておくことで、情報系ケーブル配線用の配管１４・２４を、ユニット式建物の上下階間に確実に敷設できるため、建物の建築後将来的に、必要に応じ、下階建物ユニット１及び上階建物ユニット２に対する情報系ケーブルの配線に容易に対応することができる。
【００１２】
請求項２に記載の発明は、例えば図２に示すように、
請求項１に記載のユニット式建物の配管構造において、
下階建物ユニット１及び上階建物ユニット２の天井部に前記情報系ケーブル配線用の配管１４・２４を通す誘導管３を備えることを特徴とする。
【００１３】
請求項２に記載の発明によれば、下階建物ユニット１及び上階建物ユニット２の天井部に前記情報系ケーブル配線用の配管１４・２４を通す誘導管３を備えておくことで、下階建物ユニット１及び上階建物ユニット２ともに、その天井部に備えた誘導管３に前記情報系ケーブル配線用の配管１４・２４を容易に通すことができる。
【００１４】
請求項３に記載の発明は、例えば図１２（または図１４）に示すように、
請求項１または２に記載のユニット式建物の配管構造において、
下階建物ユニット１における上階建物ユニット２の前記情報パイプスペース２１の直下に位置する天井ボードに点検口１５を備えることを特徴とする。
【００１５】
請求項３に記載の発明によれば、下階建物ユニット１の上階情報パイプスペース２１の直下に位置する天井ボードに点検口１５を備えておくことで、その点検口１５において、下階建物ユニット１の前記情報系ケーブル配線用の配管２４（１４）と上階建物ユニット２の前記情報系ケーブル配線用の配管２５を、例えばソケット４等の接続具を使用するなどして容易に接続することができる。
【００１６】
請求項４に記載の発明は、例えば図１、図４から図６に示すように、
略直方体フレーム状に形成された複数の建物ユニットを組み合わせて上下に設置するユニット式建物において、
下階建物ユニット１を設置してから、その下階建物ユニット１に情報系ケーブル配線用の配管１４を敷設するとともに、上階建物ユニット２に敷設される情報系ケーブル配線用の配管２４を、上階建物ユニット２の情報パイプスペース２１の直下位置にまとめておき、
下階建物ユニット１の上に上階建物ユニット２を設置してから、上階建物ユニット２に敷設される情報系ケーブル配線用の配管２４を前記情報パイプスペース２１に通して、その配管２４を上階建物ユニット２に敷設する配管方法を特徴とする。
【００１７】
請求項４に記載の発明によれば、下階建物ユニット１を設置してから、その下階建物ユニット１に情報系ケーブル配線用の配管１４を敷設するとともに、上階建物ユニット２に敷設される情報系ケーブル配線用の配管２４を上階情報パイプスペース２１の直下位置にまとめておくことで、下階建物ユニット１の上に上階建物ユニット２を設置してから、上階建物ユニット２に敷設される前記情報系ケーブル配線用の配管２４を上階情報パイプスペース２１に通して、その配管２４を上階建物ユニット２に敷設することができる。
従って、建物の建築後将来的に、必要に応じ、下階建物ユニット１及び上階建物ユニット２に対する情報系ケーブルの配線に容易に対応することができる。
【００１８】
請求項５に記載の発明は、例えば図１から図１４に示すように、
請求項４に記載のユニット式建物の配管方法において、
下階建物ユニット１及び／又は上階建物ユニット２の天井部を形成する天井ボード１７に加工される前記情報系ケーブル配線用の配管１４・２４・２５を通すための穴１８の位置を、設計段階で図面上にアイコン入力することを特徴とする。
【００１９】
請求項５に記載の発明によれば、下階建物ユニット１及び／又は上階建物ユニット２の天井部を形成する天井ボード１７に加工される前記情報系ケーブル配線用の配管１４・２４・２５を通すための穴１８の位置を、設計段階で図面上にアイコン入力することで、工場で建物ユニットに前記情報系ケーブル配線用の配管１４・２４・２５を通すための穴１８を加工して、現場での施工を容易化して施工性を向上することができる。
また、天井ボード１７に前記情報系ケーブル配線用の配管１４・２４・２５を通すための穴１８を加工しておくことで、現場で間違えることなく、天井ボード１７に加工した穴１８に前記情報系ケーブル配線用の配管１４・２４・２５を確実に通すことができる。
【００２０】
請求項６に記載の発明は、例えば図２に示すように、
請求項５に記載のユニット式建物の配管方法において、
前記天井ボード１７の前記穴１８に前記情報系ケーブル配線用の配管１４・２４を通す誘導管３を設置し、
この誘導管３に前記情報系ケーブル配線用の配管１４・２４を通すことを特徴とする。
【００２１】
請求項６に記載の発明によれば、天井ボート１７の穴１８に通して設置した誘導管３に前記情報系ケーブル配線用の配管１４・２４を容易に通すことができる。
そして、誘導管３により、現場において、先行配管１４の落とし位置が直ぐに分かり、先行配管１４の落とし位置の間違いがなくなり、先行配管１４を引っ掛かりがなくスムーズに落とし込めるといった利点がある。
また、誘導管３を着色しておけば、直ぐに位置を確認できる。
【００２２】
請求項７に記載の発明は、例えば図１２（または図１４）に示すように、
請求項４に記載のユニット式建物の配管方法において、
下階建物ユニット１における上階建物ユニット２の前記情報パイプスペース２１の直下に位置する前記天井ボードに備えた前記点検口１５で、下階建物ユニット１に敷設した前記情報系ケーブル配線用の配管２４（１４）と上階建物ユニット２に敷設される前記情報系ケーブル配線用の配管２５とをソケット４を介して接続することを特徴とする。
【００２３】
請求項７に記載の発明によれば、下階建物ユニット１の上階情報パイプスペース２１の直下に位置する天井ボードに備えた点検口１５において、下階建物ユニット１に敷設した前記情報系ケーブル配線用の配管２４（１４）と上階建物ユニット２に敷設する前記情報系ケーブル配線用の配管２５を容易にソケット４で接続することができる。
【発明の効果】
【００２４】
本発明によれば、ユニット式建物において、情報盤を下階建物ユニットや上階建物ユニットに設けておき、建物の建築後将来的に、必要に応じ、情報系ケーブルの配線に対応することができる。
【図面の簡単な説明】
【００２５】
【図１】本発明に係るユニット式建物の一実施形態を示すもので、下階建物ユニットの設置を示した概略正面図である。
【図２】図１の下階建物ユニットの誘導管配置箇所を示した拡大縦断面図である。
【図３】図２の配管の一部拡大斜視図である。
【図４】図１の下階建物ユニット上への上階建物ユニットの吊り込みを示した図である。
【図５】図４の下階建物ユニット上への上階建物ユニットの設置を示した図である。
【図６】図５のユニット式建物の先行配管敷設の完了を示した図である。
【図７】実施形態２を示すもので、下階建物ユニットの設置を示した概略正面図である。
【図８】図７の下階建物ユニット上への上階建物ユニットの吊り込みを示した図である。
【図９】図８の下階建物ユニット上への上階建物ユニットの設置を示した図である。
【図１０】図９のユニット式建物の先行配管敷設の完了を示した図である。
【図１１】実施形態３を示すもので、下階建物ユニット上への上階建物ユニットの設置を示した概略正面図である。
【図１２】図１１のユニット式建物の先行配管敷設の完了を示した図である。
【図１３】実施形態４を示すもので、下階建物ユニット上への上階建物ユニットの設置を示した概略正面図である。
【図１４】図１３のユニット式建物の先行配管敷設の完了を示した図である。
【図１５】建物ユニットの概略構成例を示す斜視図である。
【発明を実施するための形態】
【００２６】
以下、図面を参照して本発明の実施の形態について説明する。
（実施形態１）
図１は本発明に係るユニット式建物の一実施形態として１階建物ユニット１の設置を示したものである。
【００２７】
１階建物ユニット１は、四隅に立設された柱の上端間及び下端間をそれぞれ梁で直結した略直方体状のフレームを有して、下面を床、上面を天井、周囲を必要に応じて壁で覆った建物ユニット（図１５参照）を、例えば仮想線で示したように、水平方向に複数組み合わせたものである。この１階建物ユニット１には、図示しないが、電気系ケーブルが敷設されて、例えば、その電気系ケーブルを接続する分電盤が設置される。
【００２８】
そして、１階建物ユニット１には、図示のように、縦方向に貫通して天井内（天井ボード）に開口する情報パイプスペース１１が形成されて、この情報パイプスペース１１が背面に位置するパイプスペース壁の室内側に情報盤１２が設置されている。
また、１階建物ユニット１の間仕切り壁には、複数個の情報コンセント１３が取り付けられている。
【００２９】
情報盤１２は、パイプスペース壁に設けた開口を通して、外部からの電話線や光ケーブル等の情報用引込線などの情報系ケーブルが背面から引き出して接続されるもので、分電盤からの電力線等の電気系ケーブルも同様に接続される。
情報コンセント１３は、間仕切り壁内において、情報盤１２から延びる情報系ケーブルと分電盤から延びる電気系ケーブルが接続されて、情報系及び電気系の接続端子がそれぞれ設置された接続口である。
なお、情報系ケーブルとは、例えば電話線、テレビアンテナ線、ケーブルテレビ回線、ＬＡＮケーブル、光ファイバー等のケーブルをいう。
【００３０】
以上の１階建物ユニット１において、点線で示すように、情報パイプスペース１１及び間仕切り壁内において、情報盤１２の近傍と複数の情報コンセント１３の近傍との間を各々繋ぐ情報系ケーブル配線用の複数本の先行配管１４をそれぞれ敷設する。この先行配管１４の一部は、情報パイプスペース１１及び間仕切り壁の上方に引き出されて、必要に応じ天井梁に設けた穴に通されている。
【００３１】
先行配管１４としては、例えばＣＤ（Combined Duct）管やＰＦ（Plastic Flexible Conduit）管等の可撓性を具備する管が用いられる。
【００３２】
さらに、情報パイプスペース１１において、情報盤１２の近傍に２階用の情報系ケーブル配線用の複数本の先行配管２４を敷設してから上方に引き出して、この先行配管２４を１階建物ユニット１に設けた天井ボード開口１５に落とし込んでおく。
【００３３】
天井ボード開口１５は、図４から図６に示すように、２階建物ユニット２の情報パイプスペース２１の直下に対応して位置するもので、工場で加工されている。
【００３４】
先行配管２４も、先行配管１４と同様、ＣＤ管やＰＦ管等の可撓性を具備する管である。
【００３５】
図２は１階建物ユニット１の誘導管３の配置箇所を拡大したもので、工場において、図示のように、天井部のパネル受け材１６の一部を切り欠くとともに、天井ボード１７に穴１８を加工しておき、この穴１８に誘導管３を斜めに設置しておく。
【００３６】
誘導管３は、先行配管１４を落とし込んで通すものである。
この誘導管３により、現場において、先行配管１４の落とし位置が直ぐに分かり、先行配管１４の落とし位置の間違いがなくなり、先行配管１４を引っ掛かりがなくスムーズに落とし込めるといった利点がある。
また、誘導管３を着色しておけば、直ぐに位置を確認できる。
【００３７】
図３は先行配管１４の一部を拡大したもので、先行配管１４の内側は平滑な面を有していて、ユニット式建物施工後での必要に応じた情報系ケーブルの通線がスムーズに行える。
先行配管２４も、先行配管１４と同様、内側が平滑な面を有している。
【００３８】
ここで、建物ユニットは、図１５に示すように、天井梁１０１に架け渡した野縁１０２の下面に前記天井ボード１７が取り付けられている。野縁１０２は天井梁１０１の梁成より低く、野縁１０２の間には図示しない断熱材が敷き詰められている。そして、断熱材上には、図示しない電気系ケーブルが配線されて、前記先行配管１４・２４が配管される。その先行配管１４・２４は、天井梁１０１に形成される図示しない穴に通して隣接する建物ユニットの天井内に配管される。
【００３９】
図４は先行配管１４の敷設と先行配管２４の天井ボード開口１５への落とし込みを終えた１階建物ユニット１上への２階建物ユニット２の吊り込みを示したものである。
【００４０】
２階建物ユニット２も、１階建物ユニット１と同様、四隅に立設された柱の上端間及び下端間をそれぞれ梁で直結した略直方体状のフレームを有して、下面を床、上面を天井、周囲を必要に応じて壁で覆った建物ユニットを水平方向に複数組み合わせたものである。この２階建物ユニット２にも、図示しないが、電気系ケーブルが敷設される。
【００４１】
そして、２階建物ユニット２には、図示のように、縦方向に貫通して床及び天井内（天井ボード）に開口する情報パイプスペース２１が形成されて、間仕切り壁に複数個の情報コンセント２３が取り付けられている。
【００４２】
図５は１階建物ユニット１上への２階建物ユニット２の設置を示したものである。
すなわち、１階建物ユニット１の天井ボード開口１５に落とし込まれていた複数本の先行配管２４を、点線で示すように、直上の２階建物ユニット２の床開口から情報パイプスペース２１に通して天井ボード上に抜いてから、必要に応じ天井梁に設けた穴に通す等して、２階建物ユニット２の間仕切り壁内において、複数の情報コンセント２３の近傍にそれぞれ敷設する。
【００４３】
なお、２階建物ユニット２の天井内（天井ボード）にも誘導管３が設置されており、その誘導管３に先行配管２４を落とし込んで通す。
【００４４】
図６はユニット式建物の先行配管１４・２４の敷設の完了を示したもので、図示のように、１階建物ユニット１の情報盤１２の近傍から先行配管２４を２階建物ユニット２の情報コンセント２３の近傍まで途中の継ぎ無しで敷設している。
【００４５】
以上において、天井ボード１７に加工する情報系ケーブルの配線用の配管を通すための穴１８を、先行配管１４・２４の位置として、設計段階で使用されるＣＡＤの図面上にアイコンで入力することにより行う。
このように、情報系ケーブルの配線用の配管を通すための穴１８を先行配管１４・２４の位置としてＣＡＤの図面上にアイコンで入力することで、工場で１階建物ユニット１及び／又は２階建物ユニット２にアイコン位置に対応した天井ボード１７に穴１８を加工して、現場での施工を容易化して施工性を向上することができる。
なお、穴１８には配管がしやすいように誘導管３も工場で設置する。
【００４６】
以上、実施形態によれば、ユニット式建物において、１階建物ユニット１に情報盤１２を設けて、その情報盤１２から１階建物ユニット１の情報コンセント１３への先行配管１４と２階建物ユニット２の情報コンセント２３への先行配管２４を敷設したので、建物の建築後将来的に、必要に応じ、情報系ケーブルの配線に対応することができる。
すなわち、１階建物ユニット１及び２階建物ユニット２に敷設された先行配管１４・２４に、例えば電話線、ＬＡＮケーブル、光ファイバー等の必要に応じた情報系ケーブルを通して配線することができる。
【００４７】
（実施形態２）
図７は実施形態２の１階建物ユニット１の設置を示したもので、図示のように、１階建物ユニット１には、前述した実施形態１のような情報パイプスペースがなく、実施形態１と同様、間仕切り壁に複数個の情報コンセント１３が取り付けられて、２階建物ユニット２の情報パイプスペース２１の直下に対応して位置する天井ボード開口１５が形成されている。
【００４８】
そして、点線で示すように、複数の情報コンセント１３の近傍に複数本の先行配管１４が敷設されている。この先行配管１４を１階建物ユニット１の上方に引き出してから天井ボード開口１５に落とし込んでおく。
【００４９】
図８は先行配管１４の敷設と天井ボード開口１５への落とし込みを終えた１階建物ユニット１上への２階建物ユニット２の吊り込みを示したものである。
【００５０】
２階建物ユニット２には、図示のように、実施形態１と同様の情報パイプスペース２１が背面に位置するパイプスペース壁に情報盤２２が設置されるとともに、間仕切り壁に複数個の情報コンセント２３が取り付けられている。
【００５１】
なお、１階建物ユニット１には、図示しないが、電気系ケーブルが敷設される。
また、２階建物ユニット２には、図示しないが、電気系ケーブルが敷設されて、例えば、その電気系ケーブルを接続する分電盤が設置される。
【００５２】
図９は１階建物ユニット１上への２階建物ユニット２の設置を示したもので、１階建物ユニット１の天井ボード開口１５に落とし込まれていた複数本の先行配管１４を、点線で示すように、直上の２階建物ユニット２の情報パイプスペース２１に通して情報盤２２の近傍にそれぞれ敷設する。
【００５３】
そして、点線で示すように、情報盤２２の近傍に複数本の先行配管２４をそれぞれ敷設する。
さらに、その先行配管２４を情報パイプスペース２１の天井ボード上に抜いてから、２階建物ユニット２の複数の情報コンセント２３の近傍にそれぞれ敷設する。
【００５４】
図１０はユニット式建物の先行配管１４・２４の敷設の完了を示したもので、図示のように、１階建物ユニット１の情報コンセント１３から先行配管１４を２階建物ユニット２の情報盤２２まで途中の継ぎ無しで敷設している。
【００５５】
以上、実施形態２によれば、ユニット式建物において、２階建物ユニット２に情報盤２２を設けて、その情報盤２２から１階建物ユニット１の情報コンセント１３への先行配管１４と２階建物ユニット２の情報コンセント２３への先行配管２４を敷設したので、建物の建築後将来的に、必要に応じ、情報系ケーブルの配線に対応することができる。
【００５６】
（実施形態３）
図１１は実施形態３の１階建物ユニット１上への２階建物ユニット２の設置を示したものである。
【００５７】
実施形態３は、前述した実施形態１と同様、１階建物ユニット１及び２階建物ユニット２ともに情報パイプスペース１１・２１を備えて、１階建物ユニット１の情報パイプスペース１１が背面に位置するパイプスペース壁に情報盤１２を備えるユニット式建物において、１階建物ユニット１の情報盤１２の近傍からの先行配管２４と、２階建物ユニット２の情報コンセント２３の近傍への情報系ケーブル配線用の先行配管２５とを、ソケット４で接続する。
【００５８】
すなわち、図１１に示すように実施形態１と同様、１階建物ユニット１に情報パイプスペース１１の情報盤１２の近傍と間仕切り壁内の複数の情報コンセント１３の近傍との間を各々繋ぐ複数本の先行配管１４をそれぞれ敷設する。
そして、点線で示すように、１階建物ユニット１の情報パイプスペース１１の情報盤１２の近傍に２階用の複数本の先行配管２４を敷設してから天井ボード上に引き出して、この先行配管２４の先端部を天井ボード開口１５まで位置させておく。
なお、図示例では、１階建物ユニット１の下部外面にも、蓄電池や電気自動車用の情報コンセント１３が備えられている。
【００５９】
また、２階建物ユニット２には、点線で示すように、間仕切り壁内で複数の情報コンセント２３の近傍に複数本の先行配管２５を敷設して天井ボード上に抜いてから、その先行配管２５の下端部を情報パイプスペース２１に落とし込んでその床下開口まで位置させておく。
【００６０】
図１２はユニット式建物の先行配管１４・２４・２５の敷設の完了を示したもので、図示のように、１階建物ユニット１の天井ボード開口１５において、１階の情報盤１２の近傍に敷設した複数本の先行配管２４と、２階建物ユニット２の複数の情報コンセント２３の近傍に敷設した複数本の先行配管２５とを、管状のソケット４でそれぞれ接続する。
【００６１】
なお、天井ボード開口１５には、着脱式の点検蓋５を設けておく。この点検蓋５を外して、先行配管２４・２５のソケット４による接続を行った後、点検蓋５を装着する。
従って、天井ボード開口１５は、ソケット接続のための点検口として機能する。
【００６２】
このように、１階建物ユニット１の天井点検口１５において、１階の情報盤１２の近傍に敷設した先行配管２４と２階建物ユニット２に敷設した先行配管２５とをソケット４で接続するようにしてもよい。
【００６３】
（実施形態４）
図１３は実施形態４の１階建物ユニット１上への２階建物ユニット２の設置を示したものである。
【００６４】
実施形態４では、前述した実施形態２と同様、２階建物ユニット２に情報パイプスペース２１及び情報盤２２を備えるユニット式建物において、１階建物ユニット１の情報コンセント１３からの先行配管１４と、２階建物ユニット２の情報盤２２からの先行配管２５とを、ソケット４で接続する。
【００６５】
すなわち、図１３に点線で示すように実施形態２と同様、１階建物ユニット１の複数の情報コンセント１３の近傍に複数本の先行配管１４を敷設して天井ボード上に引き出してから、その先行配管１４の先端部を天井ボード開口１５まで位置させておく。
【００６６】
また、２階建物ユニット２の情報盤２２の近傍に敷設した複数本の先行配管２４を情報パイプスペース２１の天井ボード上に抜いてから、複数の情報コンセント２３の近傍にそれぞれ敷設する。
そして、情報盤２２の近傍に複数本の先行配管２５を敷設して、その先行配管２５の下端部を情報パイプスペース２１の床下開口まで位置させておく。
【００６７】
図１４はユニット式建物の先行配管１４・２４・２５の敷設の完了を示したもので、図示のように、１階建物ユニット１の天井ボード開口１５において、複数の情報コンセント１３の近傍に敷設した複数本の先行配管１４の先端部と、２階の情報盤２２の近傍に敷設した複数本の先行配管２５の下端部とを、実施形態３と同様、ソケット４でそれぞれ接続する。
【００６８】
このように、１階建物ユニット１の天井点検口１５において、１階に敷設した先行配管１４と２階建物ユニット２の情報盤２２の近傍に敷設した先行配管２５とをソケット４で接続するようにしてもよい。
【００６９】
以上のとおり、ユニット式建物の規模や先行配管数量等に応じて、１階２階に渡る途中のソケットジョイント有無どちらにも対応することができる。
【００７０】
（変形例）
以上の実施形態においては、２階建てのユニット式建物としたが、本発明はこれに限定されるものではなく、３階建てのユニット式建物であってもよい。また、誘導管を配置することとしたが、単に加工された穴に配管することとしてもよい。
また、その他、具体的な細部構造等についても適宜に変更可能であることは勿論である。
なお、本発明は情報系ケーブルの配線を目的としているが、設備機器への電力供給のためにする電力線の配線を目的とした配管構造にも転用可能である。
【符号の説明】
【００７１】
１  下階建物ユニット
１１  情報パイプスペース
１２  情報盤
１３  情報コンセント
１４  情報系ケーブル配線用の先行配管
１５  天井ボード開口（点検口）
１６  パネル受け材
１７  天井ボード
１８  穴
２  上階建物ユニット
２１  情報パイプスペース
２２  情報盤
２３  情報コンセント
２４  情報系ケーブル配線用の先行配管
２５  情報系ケーブル配線用の先行配管
３  誘導管
４  ソケット
５  点検蓋
１０１  天井梁
１０２  野縁
【図１】
2015036492.tif 000003
【図２】
2015036492.tif 000004
【図３】
2015036492.tif 000005
【図４】
2015036492.tif 000006
【図５】
2015036492.tif 000007
【図６】
2015036492.tif 000008
【図７】
2015036492.tif 000009
【図８】
2015036492.tif 000010
【図９】
2015036492.tif 000011
【図１０】
2015036492.tif 000012
【図１１】
2015036492.tif 000013
【図１２】
2015036492.tif 000014
【図１３】
2015036492.tif 000015
【図１４】
2015036492.tif 000016
【図１５】
2015036492.tif 000017